(57)【要約】【課題】筐体の容積を小さくでき、発熱部品の十分な放熱性を確保でき、筐体の強度も確保でき、操作子の操作性やディスプレイの視認性にも優れる筐体構造の提供。【解決手段】上面部２０と底面部４０と側面部４５とで函型に形成された筐体１０を備えたミキサー装置１の筐体構造であって、上面部２０は、多数の操作子２９を配列した平面状の操作パネル２１と、操作パネル２１の後端に繋がる境界部２５と、ディスプレイ３３を含み境界部２５から後方上側に向かって斜めに設置された傾斜平面状の表示パネル３１とを備えて鈍角のＶ字型を成しており、筐体１０の内部には、境界部２５の位置で底壁４１に立設された板状の仕切部材５０が設けられている。仕切部材５０は、上面部２０を下面側から支持し補強すると共に、筐体１０内の前収納部１１と後収納部１２とを連通する開口部５１ａを備えている。【選択図】図３
2010171226.tif 000002
【特許請求の範囲】
【請求項１】
ディスプレイ及び複数の操作子を配した上面部と、底面部と、前記上面部と前記底面部の間の側面を囲む側面部とで函型に形成された筐体を備えてなる音響調節機器の筐体構造であって、
前記上面部は、前記筐体における手前側に配置されて多数の操作子を配列した平面状の操作パネル部と、該操作パネル部の後端辺に連接された境界部と、ディスプレイを含み該境界部から後方上側に向かって前記操作パネル部よりも大きな傾斜角度で立設された傾斜平面状の表示パネル部とからなり、
前記筐体の内部には、前記操作パネル部と前記底面部との間に画成された前収納部と、前記表示パネル部と前記底面部との間に画成された後収納部と、前記境界部の位置で前記底面部に立設されて前記前収納部と前記後収納部とを仕切る板状の仕切部材とが設けられており、
前記仕切部材は、前記上面部を下方から支持して前記境界部及びその周辺を補強すると共に、該仕切部材には、前記前収納部と前記後収納部とを連通する開口部が形成されている
ことを特徴とする音響調節機器の筐体構造。
【請求項２】
前記後収納部に、前記筐体内の発熱部品を配置する発熱部品配置部を設けた
ことを特徴とする請求項１に記載の音響調節機器の筐体構造。
【請求項３】
前記操作パネル部は、その面が前記底面部と平行に配置されている
ことを特徴とする請求項１に記載の音響調節機器の筐体構造。
【請求項４】
前記操作パネル部及び該操作パネル部に配列した操作子は、前記上面部における手前側に配置された操作パネル取付体に設けられており、
該操作パネル取付体は、前記境界部の手前側に設けた支点を中心に回動することで、前記前収納部を開閉可能である
ことを特徴とする請求項１又は２に記載の音響調節機器の筐体構造。
【請求項５】
前記操作パネル取付体が前記支点を中心に回動して前記前収納部を閉じる際、該操作パネルの後端辺が前記仕切部材に当接することで、該操作パネルの位置決めがなされる
ことを特徴とする請求項３に記載の音響調節機器の筐体構造。
【発明の詳細な説明】
【技術分野】
【０００１】
本発明は、大型のミキサー装置などに用いて好適な音響調節機器の筐体構造に関する。
【背景技術】
【０００２】
従来、例えば特許文献１に示すように、ミキサー装置など音響調節機器の筐体構造がある。この種の音響調節機器の筐体構造は、ディスプレイや多数の操作子を配した上面部と、側面部と、設置場所などに載置される底面部とで囲まれた函型の筐体を備えている。
【特許文献１】特許第３８１８２４８号公報
【発明の開示】
【発明が解決しようとする課題】
【０００３】
特許文献１に示す従来のミキサー装置の筐体構造は、平面状の上面部が筐体の前端から後端にかけて僅かに上昇するほぼ一定の傾斜度を有しており、前端から後端まで厚み寸法（高さ寸法）がさほど変化しない形状を有している。ところが、この構造では、筐体内に設置する最も高い部品に合わせた厚み寸法が筐体の前後方向の全体に渡って必要となる。そのため、筐体全体の厚み寸法が大きくなり、容積が大きくなるという問題があった。
【０００４】
この点、ミキサー装置の外観デザインの向上や設置スペースの節約のためには、筐体の厚みをできるだけ薄くすることが求められる。その上で、操作子の操作性やディスプレイの視認性を向上させることも必要である。したがって、操作子の操作性やディスプレイの視認性を確保しつつ薄型化を図ることができる筐体構造が求められる。一方で、大型のミキサー装置は重量が大きいため、筐体を薄型化しても搬送時に筐体の歪みなどが生じないような十分な強度を備えていることが必要である。
【０００５】
また、従来のミキサー装置の筐体は、筐体の前後方向の全体に渡って適度な厚み寸法を有していたため、基板や電源回路などの発熱部品を配置する収納空間の広さ（容積）が十分に確保されていた。そのため、通気孔や送風ファンなどによる空気流が筐体内部に形成され易く、基板や電源回路などの発熱部品に必要な放熱性を確保できていた。しかしながら、筐体の薄型化を図ると、筐体内の収納空間の容積が小さくなるので、筐体の形状によっては内部の設置部品が邪魔になるなどして、スムーズな空気流が形成され難くなり、発熱部品の放熱効果が薄れてしまうおそれがある。このような事情から、筐体を薄型化する場合は、発熱部品の放熱性についても配慮が必要である。
【０００６】
本発明は上述の点に鑑みてなされたものでありその目的は、大型の音響調節機器でも筐体の容積を小さく抑えることが可能であり、筐体内部の発熱部品の十分な放熱性を確保でき、かつ筐体の強度も確保でき、操作子の操作性やディスプレイの視認性にも優れた音響調節機器の筐体構造を提供することにある。
【課題を解決するための手段】
【０００７】
上記課題を解決するため本発明にかかる音響調節機器の筐体構造は、ディスプレイ（３３）及び複数の操作子（２９）を配した上面部（２０）と、底面部（４０）と、上面部（２０）と底面部（４０）の間の側面を囲む側面部（４５）とで函型に形成された筐体（１０）を備えてなる音響調節機器の筐体構造であって、上面部（２０）は、筐体（１０）における手前側に配置されて多数の操作子（２９）を配列した平面状の操作パネル部（２１）と、該操作パネル部（２１）の後端辺（２１ａ）に連接された境界部（２５）と、ディスプレイ（３３）を含み該境界部（２５）から後方上側に向かって操作パネル部（２１）よりも大きな傾斜角度で立設された傾斜平面状の表示パネル部（３１）とからなり、筐体（１０）の内部には、操作パネル部（２１）と底面部（４０）との間に画成された前収納部（１１）と、表示パネル部（３１）と底面部（４０）との間に画成された後収納部（１２）と、境界部（２５）の位置で底面部（４０）に立設されて前収納部（１１）と後収納部（１２）とを仕切る板状の仕切部材（５０）とが設けられており、仕切部材（５０）は、上面部（２０）を下方から支持して境界部（２５）及びその周辺を補強すると共に、該仕切部材（５０）には、前収納部（１１）と後収納部（１２）とを連通する開口部（５１ａ）が形成されていることを特徴とする。
【０００８】
本発明にかかる音響調節機器の筐体構造によれば、筐体の手前側に配置されて多数の操作子を配列した平面状の操作パネル部と、該操作パネル部の後端辺に連接された境界部と、ディスプレイを含み境界部から後方上側に向かって操作パネル部よりも大きな傾斜角度で立設された傾斜平面状の表示パネル部とで上面部を構成したことで、筐体の厚み寸法、特に、操作パネル部を配した手前側の厚み寸法を薄くでき、筐体の容積を小さく抑えることができる。また、底面部に立設された板状の仕切部材で境界部を支持し補強するように構成したことで、筐体の強度を高めることができる。また、仕切部材に前収納部と後収納部とを連通する開口部を設けたことで、前収納部と後収納部と間の空気流を促進することが可能となるので、発熱部品の十分な放熱性を確保できるようになる。また、筐体後側の表示パネル部を手前側の操作パネル部よりも大きな傾斜角度で立設したことで、操作パネル部に配列した操作子の良好な操作性と、表示パネル部に配したディスプレイの良好な視認性との両方を確保でき、音響調節機器の使い勝手が向上する。
【０００９】
また、上記の筐体構造では、筐体内に設置する電源部などの主要な発熱部品を後収納部に配置するとよい。すなわち、この筐体構造では、操作パネル部よりも表示パネル部の方が傾斜角度が大きいため、前収納部よりも後収納部の方が高さが高く、容積が大きい。したがって、容積の大きな後収納部に発熱部品を配置することで、発熱部品の放熱効果を高めることが可能となる。
【００１０】
また、上記の筐体構造では、操作パネル部は、その面が底面部と平行になるように配置するとよい。これによれば、筐体の底面部を水平な箇所に載置した場合、操作パネル部が水平になる。これにより、操作パネル部に設置したフェーダ操作子などのスライド操作を行う操作子を水平面内で操作できるので、操作子の操作が行い易くなる。また、操作パネル部が底面部と平行に配置され、表示パネル部が操作パネル部の後側で後方上側に向かって斜めに立設した状態となるので、操作パネル部に配列した操作子の良好な操作性と、表示パネル部に配したディスプレイの良好な視認性との両方を確保できる。
【００１１】
また、上記の筐体構造では、操作パネル部（２１）及び該操作パネル部（２１）に配列した操作子（２９）を設けてなる操作パネル取付体（２２）を備え、操作パネル取付体（２２）は、境界部（２５）の手前側に設けた支点（４７ａ）を中心に回動することで、前収納部（１１）を開閉可能とするとよい。これによれば、操作パネル取付体の回動により前収納部の開閉が容易に行えるようになる。したがって、前収納部内に設置した部品へのアクセスが簡単になるので、音響調節機器のメンテナンスの容易化を図ることができる。
【００１２】
また、この場合、操作パネル取付体（２２）が支点（４７ａ）を中心に回動して前収納部（１１）が閉じられる際、該操作パネル（２１）の後端辺（２１ａ）が仕切部材（５０）に当接することで、操作パネル（２１）の位置決めがなされるようにしてよい。これによれば、操作パネル取付体で前収納部の開口を閉じる動作に伴い、操作パネルを正確に位置決めして取り付けることが可能となる。なお、上記の括弧内の符号は、後述する実施形態の対応する構成要素の符号を本発明の一例として示したものである。
【発明の効果】
【００１３】
本発明にかかる音響調節機器の筐体構造によれば、大型の音響調節機器であっても筐体の容積を小さく抑えることができ、発熱部品の十分な放熱性を確保でき、筐体の強度を確保でき、操作子の操作性やディスプレイの視認性を向上させることができる。
【発明を実施するための最良の形態】
【００１４】
以下、添付の図面を参照して本発明の実施形態を詳細に説明する。図１は、本発明の一実施形態にかかる筐体構造を適用したミキサー装置（音響調節機器）１の外観構成を示す図で、（ａ）は、斜視図、（ｂ）は、背面図である。図２は、ミキサー装置１の筐体１０から後述する操作パネル取付体２２とディスプレイ設置体３２とを取り外した状態を示す斜視図である。図３は、ミキサー装置１の筐体１０を示す概略側断面図である。なお、以下の説明では、ミキサー装置１の操作者側を手前側あるいは前側、その反対側を後側という。また、ミキサー装置１の手前側からみた両側を左右あるいは横方向という。また、各部品における方向を示す場合は、各部品をミキサー装置１に取り付けた状態での方向で示す。
【００１５】
ミキサー装置１の筐体１０は、ディスプレイ３３及び複数の操作子２９（２９ａ〜２９ｃ）を配した上面部２０と、上面部２０の下方に配置された底面部４０と、上面部２０と底面部４０との間の側面を囲む側面部４５とを備えて函型に形成されている。側面部４５は、筐体１０の前側面を形成する前壁４６と、左右側面を形成する横壁４７，４７と、後側面を形成する後壁４８とからなる。前壁４６には、スリット状の貫通孔などからなる通気孔４６ａ（図３参照）が形成されている。底面部４０は、平板状の底壁４１と該底壁４１の下面に取り付けた突起状の複数の脚部４２とを備えて構成されている。
【００１６】
また、図１及び図２に示すように、横壁４７，４７の外側には、一対の横カバー２６，２６が取り付けられており、前壁４６の手前側には、前カバー２７が取り付けられている。横カバー２６は、横壁４７の外形に沿う形状を有しており、上面が筐体１０の上面部２０に沿う逆へ字型になっており、下面側には、手で把持するための凹形状の把持部２６ａが形成されている。また、前カバー２７は、上面が筐体１０の前端から略水平に延びており、下面側には、凹形状の把持部２７ａ（図３参照）が形成されている。横カバー２６，２６と前カバー２７は、図示しないボルトなどの締結具で筐体１０の外面に固定されている。
【００１７】
また、図１及び図３に示すように、上面部２０の表示パネル３１より後側の部分、すなわち筐体１０の後端上部には、上方に突出する略三角形状の横断面を有する上カバー２８が取り付けられている。上カバー２８の下側には、底壁４１と略平行な平面状の小物載置面４９が設けられている。上カバー２８は、小物載置面４９に図示しないボルトなどで固定されているが、取り外しが可能であり、上カバー２８を取り外せば、小物載置面４９にモニター用スピーカや文字入力用のキーボードあるいはマウスなどの小物品を置くことができる。また、小物載置面４９には、キーボードやマウスなどを接続するＵＳＢなどの端子部４９ａが設置されている。上カバー２８には、端子部４９ａに対応する開口部２８ａが形成されており、上カバー２８を取り付けた状態でも、開口部２８ａから端子部４９ａが露出するようになっている。
【００１８】
上面部２０は、筐体１０における手前側に配置されて多数の操作子２９を配列した平面状の操作パネル（操作パネル部）２１と、該操作パネル２１の後端辺２１ａに連接された境界部２５と、ディスプレイ３３を含み境界部２５から後方上側に向かって斜めに立設された傾斜平面状の表示パネル（表示パネル部）３１とからなる。操作パネル２１は、その面が底壁４１と平行に配置されている。境界部２５は、操作パネル２１の後端辺２１ａに沿って筐体１０の横方向に直線状に延びている。
【００１９】
上面部２０では、境界部２５を挟んで操作パネル２１と表示パネル３１とが鈍角のＶ字型、すなわち、逆へ字型をなしている。したがって、筐体１０の底面部４０を水平面に設置した状態で、操作パネル２１が水平になり、表示パネル３１が水平面から後方斜め上側に所定角度（図では約４５度）に立設された状態となる。
【００２０】
上面部２０の手前側には、操作パネル取付体２２が設置されている。操作パネル取付体２２は、略平板状の板材からなる操作パネル２１と、該操作パネル２１の両側に設置した側板２４（図３参照、ただし奥側のみ図示）と、操作パネル２１の下面側に取り付けた操作子基板２３とを備えている。操作子基板２３には、各種の操作子２９が取り付けられている。操作子２９は、操作パネル２１に設けた小孔（図示せず）を貫通して操作パネル２１の上面側に露出している。ここでの各種の操作子２９には、フェーダ操作子２９ａ、スイッチ類２９ｂ、ロータリーボリューム２９ｃなどが含まれる。また、操作パネル２１には、液晶表示部２９ｄなどの電子機器類も設置されている。操作パネル２１上のフェーダ操作子２９ａは、ミキサー装置１の前後方向に沿って直線状にスライド移動が可能である。なお、フェーダ操作子２９ａは手動操作で移動するように構成されているが、電気的に駆動するためのモータ（図示せず）も併設されている。
【００２１】
本実施形態の筐体構造では、操作パネル２１が底面部４０と平行であるため、ミキサー装置１を水平面に載置した状態で、操作パネル２１が水平になる。このため、フェーダ操作子２９ａのスライド移動が水平面内で行われるようになるので、フェーダ操作子２９ａを駆動するモータなどの駆動源にかかる負荷が軽減される。したがって、モータの駆動電力を抑えて消費電力などを節約できると共に、フェーダ操作子２９ａの動作を安定させることが可能となる。
【００２２】
上面部２０の後側には、ディスプレイ設置体３２が設置されている。ディスプレイ設置体３２は、略平板状の板材からなる表示パネル３１と、表示パネル３１内に嵌め込まれたディスプレイ３３とを備えている。また、表示パネル３１におけるディスプレイ３３の側部には、操作子３４が配列されており、操作子３４に対応する表示パネル３１の裏面側には、操作子基板３５が取り付けられている。
【００２３】
図４は、操作パネル取付体２２及びディスプレイ設置体３２の筐体１０への取付状態及び動作を説明するための図である。操作パネル取付体２２は、軸部（支点）４７ａを中心に前端が上下に回動することで、前収納部１１の上部開口１１ａを開閉可能である。操作パネル取付体２２の取付状態を詳述すると、操作パネル取付体２２の側板２４，２４に設けた一対の係合溝２４ａ，２４ａに対して、前収納部１１の内側面に設けた一対の軸部４７ａ，４７ａが係合している。軸部４７ａ，４７ａは、前収納部１１内で内側に向かって横方向（水平方向）に突出する略円柱状の小突起からなる。一方、係合溝２４ａは、操作パネル取付体２２の側板２４の後端から手前方向に向かって延びる細溝であり、途中には略Ｎ字型に屈曲する段部２４ｂが形成されている。
【００２４】
軸部４７ａが係合溝２４ａに挿入されて係合していることで、図４に示すように、操作パネル取付体２２は、軸部４７ａを支点に前端が上下に回動可能となっている。したがって、操作パネル取付体２２を回動させることで、前収納部１１の上部開口１１ａを開閉することができる。以下、操作パネル取付体２２で上部開口１１ａが閉じられた状態を閉状態といい、上部開口１１ａが開かれた状態を開状態という。なお、操作パネル取付体２２を筐体１０から取り外すには、係合溝２４ａに沿って軸部４７ａを抜いて取り外す。このとき、係合溝２４ａに設けた略Ｎ字型の段部２４ｂにより、操作パネル取付体２２が筐体１０から容易に外れることが防止される。
【００２５】
一方、ディスプレイ設置体３２の取付構造を詳述すると、ディスプレイ設置体３２の手前端近傍の両外側面に設けた係合溝３６，３６に対して、筐体１０の両側壁４７，４７の内面に設けた軸部４７ｂ，４７ｂが挿入されて係合している。軸部４７ｂ，４７ｂは、後収納部１２内で内側に向かって横方向（水平方向）に突出する略円柱状の小突起からなる。一方、係合溝３６は、ディスプレイ設置体３２の手前端から後方向に延びる直線状の細溝である。軸部４７ｂが係合溝３６に係合していることで、ディスプレイ設置体３２は、軸部４７ｂを支点に後端（上端）が前後方向に回動可能となっている。したがって、ディスプレイ設置体３２を後収納部１２の上部開口１２ａに取り付ける際、ディスプレイ設置体３２の後端を後方へ回動させて上部開口１２ａに嵌め込むことができる。
【００２６】
筐体１０の内部には、図３に示すように、操作パネル２１と底壁４１との間に画成された前収納部１１と、表示パネル３１と底壁４１との間に画成された後収納部１２とが設けられている。前収納部１１は、操作パネル２１の下方に形成された収納空間である。前収納部１１には、操作パネル２１の下面に取り付けた操作子基板２３のほか、底壁４１上に設置した薄型の小基板１３などの電子部品が設置されているが、筐体１０内の部品の殆どは後収納部１２に配置されているため、前収納部１１には、内部の空気流を妨げない十分な空間が確保されている。
【００２７】
後収納部１２は、表示パネル３１の下方に形成された空間で、前収納部１１よりも内部の高さが高く、容積が大きくなっている。後収納部１２には、拡張ボード１５ａを装着するための拡張ボード装着部１５が設けられている。拡張ボード装着部１５は、後収納部１２の左後部に配置された略矩形の籠状の枠体１５ｂと、後壁４８に形成した開口部４８ａとを備えている。また、枠体１５ｂの手前側の側面には、回路基板１６が取り付けられている。図１（ｂ）に示すように、開口部４８ａから枠体１５ｂ内に拡張ボード１５ａを挿入して装着するようになっている。拡張ボード１５ａは、その面を垂直にした状態で、上下端辺が枠体１５ｂの上下面に形成したスリット状の挿入溝（図示せず）に差し込まれて装着される。
【００２８】
また、図２に示すように、後収納部１２には、電源ユニット１７が設置されている。電源ユニット１７は、後収納部１２の右後部、すなわち、拡張ボード装着部１５の右側に配置された略矩形の箱型の装置である。図１（ｂ）に示すように、電源ユニット１７に対応する後壁４８の外面には、電源コードの端子を接続するための電源端子部４８ｂが設けられている。また、拡張ボード装着部１５及び電源ユニット１７の上方には、送風ファン１８が設置されている。送風ファン１８は、後壁４８の内面に固定されており、送風ファン１８に対向する後壁４８には、通気孔４８ｃが形成されている。送風ファン１８及び通気孔４８ｃは、複数組が後壁４８の横方向に並べて設置されている。送風ファン１８及び通気孔４８ｃにより、前後収納部１１，１２に空気流が形成されるようになっている。
【００２９】
また、後収納部１２における送風ファン１８の手前側には、比較的発熱量が多い基板類などの電子部品（発熱部品）１９が設置されている。特に発熱量の多い電子部品１９には、放熱フィン１９ａが取り付けられている。すなわち、本実施形態のミキサー装置１では、筐体１０内部において主な発熱源となる電子部品１９や電源ユニット１７などの発熱部品を設置する発熱部品配置部１４が後収納部１２に設けられている。
【００３０】
図５は、筐体１０内における境界部２５及びその周辺の詳細構造を示す部分拡大斜視断面図である。なお、同図では、仕切部材５０や操作パネル２１の一部を切断面で示している。筐体１０内には、境界部２５の真下の位置で前収納部１１と後収納部１２を仕切る仕切部材５０が設置されている。仕切部材５０は、底壁４１から垂直に立設され、境界部２５に沿って筐体１０の横方向に延びる略短冊形状の金属板状部材で、筐体１０の左右両端に渡って配置されている。仕切部材５０は、底壁４１に対して垂直な本体部５１と、本体部５１の下端を手前側へ略直角に折り曲げてなる下端辺５２と、本体部５１の上端を手前側へ略直角に折り曲げてなる上端辺５３とを備えている。下端辺５２が底壁４１に固定されており、上端辺５３が操作パネル２１の後端辺２１ａの下面側に固定されている。これにより、仕切部材５０で上面部２０が下側から支持されており、境界部２５及びその周辺が補強された状態になっている。
【００３１】
仕切部材５０の下端辺５２は、固定部５５によって底壁４１に固定されている。固定部５５は、下端辺５２より一段高い位置に設けた被固定片５５ａと、被固定片５５ａと底壁４１との隙間に介装された略円柱型のスペーサ部材５５ｃと、被固定片５５ａを固定するためのボルト５５ｂとで構成されている。被固定片５５ａは、本体部５１の下端に形成した略コ字状の切欠から手前側に向かって下端辺５２と平行に突出する舌片状の部位である。底壁４１のボルト孔（図示せず）に下面側から挿通したボルト５５ｂがスペーサ部材５５ｃに挿通されて、被固定片５５ａに締結固定されている。
【００３２】
また、図４に示すように、操作パネル取付体２２が軸部４７ａを中心に回動して閉位置に配置される際、図５に示すように、操作パネル２１の後端辺２１ａが仕切部材５０の上端辺５３の下面側と本体部５１の手前側の面とに当接するようになっている。この当接により、操作パネル２１の位置決め（前後方向の位置決めあるいは後端の上下方向の位置決め）がなされる。
【００３３】
前収納部１１と後収納部１２とを仕切る仕切部材５０の本体部５１には、矩形状の貫通孔からなる開口部５１ａが多数形成されている。開口部５１ａは、適宜間隔で格子状に配列されている。開口部５１ａによって、前収納部１１と後収納部１２が連通している。仕切部材５０に開口部５１ａを形成したことで、前収納部１１及び後収納部１２での空気流を促進させることが可能となる。すなわち、筐体１０内では、送風ファン１８の運転により、前収納部１１の前壁４６に設けた通気孔４６ａ、及び上面部２０に設けた多数の操作子２９と図示しない配設孔との隙間から導入された空気が、前収納部１１から仕切部材５０の開口部５１ａを通って後収納部１２に入り、送風ファン１８を介して後壁４８の通気孔４８ｃから排出される。このような空気流によって、筐体１０内に設置した発熱部品の十分な放熱性を確保できる。なお、図示は省略するが、実際には、前収納部１１に設置した小基板１３と後収納部１２に設置した回路部品３７（図３参照）とを接続する配線類、あるいは操作パネル２１に設けた多数の操作子２９と後収納部１２に設けた回路部品３７とを接続する配線類が設けられている。そして、仕切部材５０の開口部５１ａは、これら前収納部１１と後収納部１２とに跨る配線類を通すための孔としても利用されている。
【００３４】
また、上面部２０における境界部２５に対応する位置には、モール板６０が取り付けられている。モール板６０は、可撓性を有する合成樹脂材などで形成された細板状の部材で、操作パネル２１の後端辺２１ａと表示パネル３１の前端辺３１ａとの隙間に嵌め込まれるようになっており、仕切部材５０の上端辺５３を覆うように設置される。
【００３５】
なお、図３に点線で示したように、表示パネル３１の上方には、台本などを載せるための台本載置板８０を設置することが可能である。台本載置板８０は、後端辺８０ｂに連結した棒状の後脚８１が、表示パネル３１と上カバー５０の上方で筐体１０の後側へ延びており、押え板６１のレール溝６２の位置で垂直下方に屈曲して、下端に設置した車輪などからなる転動体８２が上カバー２８に設けたレール溝２８ａに係合している。一方、台本載置板８０の前端辺８０ａは、境界部２５の真上に位置しており、該前端辺８０ａから垂直下方に延びる直線棒状の前脚８３の下端に設置した転動体８４がモール板６０に対してその長手方向に沿って転動可能に載置されている。これにより、台本載置板８０は、表示パネル３１の上方でその面が表示パネル３１と平行な状態で設置される。そして、前脚８３の下端がモール板６０上を転動し、後脚８１の下端が押え板６１のレール溝６２を転動することで、表示パネル３１の上方において筐体１０の左右方向にスライド移動自在になっている。なお、台本載置板８０は、ミキサー装置１に対して取り付け及び取り外しが可能である。
【００３６】
以上説明したように、本実施形態の筐体構造では、筐体１０の上面部２０は、多数の操作子２９を配列した平面状の操作パネル２１と、該操作パネル２１の後端辺２１ａに連接する境界部２５と、ディスプレイ３３を含み境界部２５から後方上側に向かって斜めに立設された傾斜平面状の表示パネル３１とで構成されている。したがって、筐体１０の厚み寸法、特に、操作パネル２１を配した手前側の厚み寸法を薄くでき、筐体１０の容積を小さく抑えることができる。また、境界部２５に板状の仕切部材５０を設け、仕切部材５０で上面部２０を下側から支持し補強するように構成したことで、筐体１０の強度、特に、境界部２５及びその周辺の強度を高めることができる。また、筐体１０内の境界部２５に設置した仕切部材５０をその面が上面部２０と底面部４０及び側面部４５に対して垂直になるように固定したことで、筐体１０の境界部２５及びその近傍の歪みを防止できる。したがって、大きな重量を有するミキサー装置１の運搬などの際、筐体１０の境界部２５やその周辺に歪みや変形が生じることを効果的に防止できる。
【００３７】
また、本実施形態の筐体構造では、表示パネル３１を操作パネル２１よりも大きな傾斜角度で斜めに設置したことで、操作パネル２１に配列した操作子２９の良好な操作性と、表示パネル３１に配したディスプレイ３３の良好な視認性との両方を確保できる。したがって、ミキサー装置１の使い勝手を向上させることができる。
【００３８】
また、本実施形態の筐体構造では、表示パネル３１が操作パネル２１の高さから斜め上方へ大きな角度で傾斜しているため、前収納部１１よりも後収納部１２の方が内部の高さが高く、かつ、容積が大きい。したがって、電源ユニット１７などの発熱部品を筐体１０内の後収納部１２に配設することで、発熱部品の十分な放熱性を確保可能となる。
【００３９】
また、本実施形態の筐体構造では、操作パネル取付体２２を回動させることで、前収納部１１の上部開口１１ａを開閉することができる。したがって、操作パネル取付体２２の下面側（収納部側）に設置した操作子基板２３や前収納部１１内の部品などにアクセスし易くなるので、ミキサー装置１のメンテナンスの容易化を図ることができる。
【００４０】
以上本発明の実施形態を説明したが、本発明は上記実施形態に限定されるものではなく、特許請求の範囲、及び明細書と図面に記載された技術的思想の範囲内において種々の変形が可能である。なお、直接明細書及び図面に記載のない何れの形状・構造・材質であっても、本願発明の作用・効果を奏する以上、本願発明の技術的思想の範囲内である。
【図面の簡単な説明】
【００４１】
【図１】本発明の一実施形態にかかる筐体構造を適用したミキサー装置の外観構成を示す斜視図である。
【図２】ミキサー装置の筐体から操作パネル取付体とディスプレイ設置体を取り外した状態を示す斜視図である。
【図３】ミキサー装置の筐体構造を示す概略側断面図である。
【図４】操作パネル取付体の取付状態及び動作を説明するための図である。
【図５】筐体内の境界部及びその周辺の詳細構造を示す部分拡大斜視断面図である。
【符号の説明】
【００４２】
１  ミキサー装置（音響調節機器）
１０  筐体
１１  前収納部
１１ａ  上部開口
１２  後収納部
１２ａ  上部開口
１４  発熱部品配置部
１７  電源ユニット（発熱部品）
１８  送風ファン
１９  電子部品（発熱部品）
１９ａ  放熱フィン
２０  上面部
２１  操作パネル
２２  操作パネル取付体
２３  操作子基板
２５  境界部
２９  操作子
３１  表示パネル
３２  ディスプレイ設置体
３３  ディスプレイ
４０  底面部
４５  側面部
４７ａ  軸部（支点）
５０  仕切部材
５１  本体部
５１ａ  開口部
５２  下端辺
５３  上端辺
５５  固定部
６０  モール板
【図１】
2010171226.tif 000003
【図２】
2010171226.tif 000004
【図３】
2010171226.tif 000005
【図４】
2010171226.tif 000006
【図５】
2010171226.tif 000007